(57)【特許請求の範囲】
【請求項１】
２次元映像を表示する表示領域を、前記２次元映像が表示されずに透明となる透明状態と、前記２次元映像が表示されて不透明となる不透明状態との間で切替可能な表示パネルと、
前記表示パネルの背面側に配置され、正面側から見て前記表示パネルの前記表示領域と重なる位置に立体投影像を投影する立体投影装置と、
前記表示パネルを制御する制御部と、を有し、
前記立体投影装置は、前記立体投影像を、奥行き方向において前記表示パネルと重なる位置に投影し、
前記制御部は、前記表示パネルの前記表示領域のうちの前記立体投影像と重なる部分を含む第１の部分領域を前記透明状態とし、前記表示領域のうちの前記第１の部分領域以外の部分領域を前記不透明状態に制御することを特徴とする表示装置。
【発明の詳細な説明】
【技術分野】
【０００１】
本発明は、立体像と２次元映像を表示できる表示装置に関する。
【背景技術】
【０００２】
近年、観察者の臨場感を高めるために、立体像と２次元映像を切り替えて表示できる表示装置が提案されている（例えば、特許文献１を参照）。
【０００３】
例えば、特許文献１に開示された立体映像表示装置は、立体表示モードでは、発光素子が配置された複数の配置層の少なくとも一部に配置された発光素子を用いて立体映像を形成し、平面表示モードでは共用層のみの発光素子を用いて平面画像を形成する。
【先行技術文献】
【特許文献】
【０００４】
【特許文献１】特開２０１３−１１６９１号公報
【発明の概要】
【発明が解決しようとする課題】
【０００５】
しかしながら、特許文献１に開示された立体映像表示装置は、立体像と２次元映像とを同時に表示させるものではない。
【０００６】
そこで、本発明は、立体像と２次元映像とを同時に見せることが可能な表示装置を提供することを目的とする。
【課題を解決するための手段】
【０００７】
本発明の一つの形態として、表示装置が提供される。この表示装置は、２次元映像を表示する表示領域を、２次元映像が表示されずに透明となる透明状態と、２次元映像が表示されて不透明となる不透明状態との間で切替可能な表示パネルと、表示パネルの背面側に配置され、正面側から見て表示パネルの表示領域と重なる位置に立体投影像を投影する立体投影装置とを有する。
【０００８】
またこの表示装置は、第１の期間において、表示パネルの表示領域を不透明状態とするように表示パネルを制御し、一方、第１の期間と異なる第２の期間において、表示パネルの表示領域のうちの少なくとも立体投影像と重なる領域を透明状態とするように表示パネルを制御し、第１の期間と第２の期間を交互に切り替える制御部をさらに有することが好ましい。この場合において、第１の期間は、第２の期間に投影された立体投影像の残像の持続時間よりも短く、かつ、第２の期間は、第１の期間に表示された２次元映像の残像の持続時間よりも短いことが好ましい。
【０００９】
この表示装置において、制御部は、第１の期間を第２の期間よりも長くすることが好ましい。
【００１０】
この場合において、表示パネルに表示される２次元映像の輝度よりも立体投影装置により投影される立体投影像の輝度の方が高いことが好ましい。
【００１１】
あるいは、この表示装置において、立体投影装置は、立体投影像を、奥行き方向において表示パネルと重なる位置に投影することが好ましい。この場合において、表示パネルの表示領域のうちの立体投影像と重なる部分を含む第１の部分領域を透明状態とし、表示領域のうちの第１の部分領域以外の部分領域を不透明状態に制御する制御部をさらに有することが好ましい。
【発明の効果】
【００１２】
本発明に係る表示装置は、立体像と２次元映像とを同時に見せることができるという効果を奏する。
【図面の簡単な説明】
【００１３】
【図１】本発明の一つの実施形態に係る表示装置の概略構成図である。
【図２】（ａ）は、液晶パネルが不透明状態の場合の表示装置の概略正面図であり、（ｂ）は、液晶パネルが透明状態の場合の表示装置の概略正面図である。
【図３】導光板の側面断面図である。
【図４】立体投影装置の一例を示す図である。
【図５】立体投影装置の他の一例を示す図である。
【図６】（ａ）は、立体投影像と液晶パネルの位置関係の他の一例を示す図である。（ｂ）は、立体投影像と不透明状態となる領域の位置関係の他の一例を示す図である。
【図７】上記の実施形態または変形例による表示装置を有する弾球遊技機を遊技者側から見た、その弾球遊技機の概略斜視図である。
【発明を実施するための形態】
【００１４】
以下、本発明の実施形態による表示装置を、図を参照しつつ説明する。この表示装置は、２次元映像が表示されておらず透明となる透明状態と２次元映像が表示され、不透明となる不透明状態とを切り替え可能な表示領域を持つ表示パネルを利用する。そしてこの表示装置は、表示パネルの表示領域を透明状態として、表示パネルよりも背面側に配置された立体投影装置により投影された立体投影像を表示パネルの表示領域を通して見えるようにした期間と、表示パネルに映像を表示して、その立体投影像を見えなくした期間を、短時間で交互に切り替えて、観察者が立体投影像と２次元映像を同時に視認できるようにする。
なお、以下では、説明の便宜上、観察者と対向する側を正面とし、その反対側を背面とする。また、表示パネルを横切って、背面側から正面側へ向かう方向、あるいは、その逆の方向を奥行き方向と呼ぶ。
【００１５】
図１は、本発明の一つの実施形態に係る表示装置の概略構成図である。表示装置１は、液晶パネル２と、導光板３と、光源４と、立体投影装置５と、制御部６とを有する。
【００１６】
液晶パネル２及び導光板３は、２次元映像を表示でき、かつ、透明状態と不透明状態とを切り替えることが可能な表示パネルの一例である。例えば、液晶パネル２は、液晶分子が封入された液晶層と、液晶層を挟んで対向するように配置される、ＩＴＯなどで形成された２枚の透明電極と、液晶層及び透明電極を挟んで対向するように配置される、ガラスまたは透明樹脂といった透明な２枚の透明基板と、液晶層、透明電極及び透明基板を挟んで対向するように配置される２枚の偏光板を有する。さらに、液晶層と透明電極の間に、液晶分子の配向方向を規定するための配向膜が形成されてもよい。また透明電極のうちの一方は、画素単位で印加する電圧を調整可能なように、マトリクス状に形成されてもよい。
【００１７】
２枚の配向膜は、例えば、液晶層内の液晶分子を所定方向に配向させる。例えば、液晶層に含まれる液晶分子がツイストネマティック型に配列される場合、２枚の配向膜は、配向方向が互いに直交するように配置される。また、２枚の偏光板は、それぞれ、特定方向の偏光面を持つ偏光成分を透過させる素子であり、例えば、液晶パネル２がノーマリー・ホワイト・モードで動作するように、その透過軸が互いに直交するように配置される。この場合、液晶層を挟む２枚の透明電極間に電場が印加されなければ、背面側に配置された偏光板を透過した光の偏光方向は、液晶層にて90°回転するので、その光は、正面側に配置された偏光板を透過できる。そのため、液晶パネルは透明となる。一方、液晶層を挟む２枚の透明電極間に電場が印加されると、液晶層内の液晶分子が電場の方向と平行な方向を向くようになるので、液晶層を透過する光の偏光面は回転しなくなる。そのため、背面側に配置された偏光板を透過した光は、正面側に配置された偏光板を透過できなくなるので、液晶パネルは不透明となる。その際、制御部６は、画素単位で透明電極間に印加する電圧を調節して、画素単位で透明度を変化させることで、液晶パネル２の透明電極が配置された表示領域に映像を表示させることができる。
【００１８】
なお、各偏光板は、液晶パネル２がノーマリー・ブラック・モードで動作するように、その透過軸が互いに平行となるように配置されてもよい。この場合には、液晶層を挟む２枚の透明電極間に電場が印加されると、液晶パネルは透明となり、逆に、液晶層を挟む２枚の透明電極間に電場が印加されなければ、液晶パネルは不透明となる。
【００１９】
また、液晶パネル２は、上記の液晶パネルに限られず、制御部６からの制御信号に応じて透明状態と不透明状態とが切り替え可能な液晶パネルであればよい。
【００２０】
図２（ａ）は、液晶パネルが不透明状態の場合の表示装置の概略正面図であり、図２（ｂ）は、液晶パネルが透明状態の場合の表示装置の概略正面図である。図２（ａ）に示されるように、液晶パネル２の表示領域２１が不透明状態の場合には、背後の投影装置５により投影される立体投影像１１は、液晶パネル２で遮られて観察者から視認することはできない。一方、図２（ｂ）に示されるように、液晶パネル２の表示領域２１が透明状態の場合には、観察者は、表示装置１を正面から見て、その表示領域２１と重なる位置に立体投影像１１を視認できる。
【００２１】
導光板３は、光源４が点灯している場合、光源４からの光をその内部で伝搬させるとともに拡散させて、液晶パネル２へ向けて出射させることで液晶パネル２を照明する。また導光板３は、立体投影装置５からの光を背面側から液晶パネル２側へ透過させる。そのために、導光板３は、液晶パネル２の表示領域よりも大きい面積を持つシート状の部材であり、液晶パネル２の背面と対向するように配置される。また導光板３は、例えば、ポリメチルメタクリレート（ＰＭＭＡ）、ポリカーボネート、シクロオレフィンポリマーといった、可視光に対して透明な樹脂を成型することで形成される。
【００２２】
図３は、光源４から導光板の入射面に垂直入射する光の伝搬方向に沿った、導光板３の側面断面図である。導光板３の側面の一面に、光源４と対向する入射面３ａが形成され、光源４からの光は入射面３ａから導光板３の内部に入射する。そして導光板３の内部を伝搬した光は、背面側に位置する拡散面３ｂにて全反射された後、液晶パネル２の背面と対向する出射面３ｃから出射して、液晶パネル２に入射する。
【００２３】
また、立体の投影像を観察者から視認可能とする場合、立体投影装置５からのその立体投影像を形成する光は、導光板３の拡散面３ｂから導光板３に入射し、そのまま導光板３を透過して、出射面３ｃから液晶パネル２へ向けて出射する。
【００２４】
本実施形態では、入射面３ａは、拡散面３ｂ及び出射面３ｃと直交するように形成される。なお、入射面３ａは、光源４から入射する光の指向性を高めるようコリメートレンズとして動作するように、光源４へ向けて凸面状に形成されてもよい。
【００２５】
拡散面３ｂには、入射面３ａから入射した光を反射して、出射面３ｃ全体から均一に出射させ、かつ、液晶パネル２に対して略垂直に入射するように、複数のプリズム３１が形成されている。
【００２６】
複数のプリズム３１は、入射面３ａから入射した入射光の伝搬方向に沿って所定のピッチで並べて形成される。各プリズム３１は、拡散面３ｂにおいて、入射面３ａからの入射光の伝搬方向に対して略垂直な方向に延伸された略三角形状の溝として形成される。そして各プリズム３１は、拡散面３ｂに対して所定の角度をなす反射面３２を有する。所定の角度は、入射光の伝搬方向及び導光板３から光を出射させる方向に応じて決定される。本実施形態では、入射光の伝搬方向は拡散面３ｂに対して略平行であり、かつ導光板３は、出射面３ｃに対して略垂直に光を出射させる。そのため、各反射面３２は、拡散面３ｂに対して略４０°〜５０°をなすように形成される。この場合、入射光の各反射面３２に対する入射角は臨界角よりも大きくなるため、矢印３０１に示されるように、入射光は各反射面３２において全反射する。そのため、導光板３は、光源４からの入射光のうち、液晶パネル２の照明に利用されない光量を抑制できる。
【００２７】
また、出射面３ｃから出射される光の強度が場所によらず均一となるように、隣接するプリズム３１間のピッチは一定となるように形成されることが好ましい。例えば、ピッチが略100μmとなるように各プリズム３１は形成される。
【００２８】
さらに、拡散面３ｂの面積に占める、プリズム３１が形成された領域の面積の比であるパターン密度は、液晶パネル２が透明状態となったときに、観察者が、立体投影装置５により投影される立体投影像を、透明な部材を介して視認していると感じられる、あるいは、その立体投影像が何もない空間上に有ると感じられるパターン密度の上限以下となることが好ましい。一方、パターン密度は、液晶パネル２が不透明状態なったときに、光源４からの光で液晶パネル２の表示領域に表示させた２次元映像が観察者にとって視認可能なパターン密度の下限以上となることが好ましい。
【００２９】
あるいは、全透過光に対する拡散光の割合を表すヘイズ値が、液晶パネル２が透明状態となったときに、観察者が、立体投影装置５により投影される立体投影像を、透明な部材を介して視認していると感じられる、あるいは、その立体投影像が何もない空間上に有ると感じられるヘイズ値の上限以下となることが好ましい。
【００３０】
なお、導光板の形状は上記の形状に限られず、背面側の拡散面から入射した光を出射面側へ透過させ、かつ、入射面から入射した光も出射面から略均一に出射させることができる形状を有していればよい。
【００３１】
光源４は、例えば、白色発光ダイオードまたは蛍光灯といった発光素子を有し、その発光面が導光板３の入射面３ａと対向するように配置される。例えば、光源４は、その発光強度が最も強い方向が入射面３ａに対して直交するように配置される。また、光源４として、光の利用効率を高めるために、例えば、指向性がある発光素子を用いることが好ましい。あるいは、光源４から発した光の指向性を高くするために、入射面３ａと光源４の間にコリメートレンズが配置されてもよい。なお、光源４は、複数の発光素子を有してもよい。そして光源４は、制御部６からの制御信号に応じて点灯または消灯する。
【００３２】
立体投影装置５は、導光板３の背面側に配置され、正面から見たときに、液晶パネル２の表示領域と重なる位置において観察者が視認できる位置に立体投影像を投影する。
【００３３】
図４は、立体投影装置５の一例を示す図である。この例では、立体投影装置５は、ハーフミラー５１と、凹面鏡５２とを有する。この例では、導光板３の背面側に、凹面鏡５２が配置され、凹面鏡５２と導光板３の間に、拡散面３ｂと略４５°をなすようにハーフミラー５１が配置される。そして立体投影される物体１０が、ハーフミラー５１と凹面鏡５２の光軸ＯＡとが交差する位置から、光軸ＯＡと直交し、かつハーフミラー５１の凹面鏡５２側を向いた面と対向する方向へ所定距離離れた位置に配置される。そのため、その物体１０の凹面鏡５２による実像が、立体投影像１１として、液晶パネル２よりも観察者側に形成される。この立体投影装置５では、凹面鏡５２から物体１０までの距離に応じて、形成される立体投影像１１の位置も変化する。具体的には、物体１０が凹面鏡５２に近いほど、立体投影像は、凹面鏡５２から離れた位置、すなわち、液晶パネル２の前方のより離れた位置に投影される。
【００３４】
さらに、立体投影装置５は、物体１０を照明する白色ＬＥＤといった照明光源を有していてもよい。さらに、照明光源は、制御部６が点灯または消灯を制御可能であってもよい。この場合、液晶パネル２が不透明状態となっている期間において、制御部６は照明光源を消灯し、逆に、液晶パネル２が透明状態となっている期間において、制御部６は照明光源を点灯させてもよい。これにより、電力消費が抑制されるとともに、液晶パネル２が不透明状態となっているときに立体投影装置５から導光板３を介して液晶パネル２に入射する光がなくなることで、液晶パネル２の照明ムラが軽減される。
【００３５】
また、物体１０自体が１以上の発光素子により形成されてもよい。この場合も、液晶パネル２が透明状態となっている期間に限り、物体１０が点灯するように、制御部６は、物体１０を構成する発光素子を制御してもよい。
【００３６】
図５は、立体投影装置５の他の一例を示す図である。この例では、立体投影装置５は、結像光学系６１を有する。この例では、立体投影される物体１０と導光板３の間に結像光学系６１が配置され、結像光学系６１の光軸ＯＡが液晶パネル２の表示領域と略直交するように、結像光学系６１は向けられる。そのため、その物体１０の結像光学系６１による実像が、立体投影像１１として、液晶パネル２よりも観察者側に形成される。この立体投影装置５でも、結像光学系６１から物体１０までの距離に応じて形成される立体投影像１１の位置も変化する。そこで、立体投影像１１を投影する位置に応じて、結像光学系６１から物体１０までの距離が調節されてもよい。
【００３７】
なお、結像光学系６１は、制御部６からの制御信号に応じて焦点距離を調節可能なズームレンズであってもよい。この場合には、結像光学系６１の焦点距離を変えることで、制御部６は、立体投影像１１の位置を変化させることができる。例えば、制御部６は、結像光学系６１の焦点距離を長くするほど、液晶パネル２の前方のより離れた位置に立体投影像１１を投影できる。
【００３８】
また、結像光学系６１と導光板３の間に、導光板３の拡散面３ｂと略４５°をなすようにミラーが配置されてもよい。この場合、結像光学系６１及び物体１０は、導光板３からミラーまでの距離だけ離れた位置において導光板３の拡散面３ｂと略平行な方向に沿って並べて配置することができるので、表示装置１の奥行方向のサイズを小さくできる。
【００３９】
さらに、表示装置１は、物体１０を支持する支持台として、ＸＹステージのような可動ステージと、可動ステージを駆動するためのアクチュエータを有していてもよい。そして制御部６は、アクチュエータを制御して可動ステージを駆動することで、物体１０の位置を移動させてもよい。これにより、制御部６は、物体１０の位置に応じて、立体投影像１１の位置を、奥行き方向に限らず、液晶パネル２の表面に平行な方向にも変化させることができる。
【００４０】
なお、立体投影装置５は、上記の例に限られず、立体投影像を自装置から離れた位置に投影できる装置であればよい。例えば、立体投影装置５は、インテグラルフォトグラフィ方式により立体投影像を投影する装置であってもよい。
【００４１】
制御部６は、例えば、プロセッサと、メモリ回路と、液晶パネル２の駆動回路とを有する。そして制御部６は、上位の制御装置（図示せず）からの制御信号に応じて、液晶パネル２、光源４及び立体投影装置５を制御する。本実施形態では、制御部６は、第１の期間において、液晶パネル２の正面側に位置する観察者から、立体投影装置５により投影される立体投影像１１を見えなくするよう、液晶パネル２の表示領域を不透明状態とし、その表示領域に２次元映像を表示させる。また、制御部６は、光源４を点灯させる。一方、第１の期間と異なる第２の期間において、液晶パネル２の正面側に位置する観察者から、立体投影装置５により投影される立体投影像１１が見えるように、制御部６は、液晶パネル２を透明状態にする。また、制御部６は、光源４を消灯させる。
【００４２】
制御部６は、第１の期間と第２の期間を短時間で交互に切り替える。これにより、観察者は、残像効果により、液晶パネル２に表示される２次元映像と立体投影装置５により投影される立体投影像１１を同時に視認できる。例えば、制御部６は、第１の期間の長さを、第２の期間中に表示された立体投影像の残像の持続時間よりも短い期間に設定することが好ましい。同様に、制御部６は、第２の期間の長さを、第１の期間中に表示された映像の残像の持続時間よりも短い期間に設定することが好ましい。例えば、制御部６は、第１の期間及び第２の期間の何れも、１秒以下に設定することが好ましい。
【００４３】
さらに、制御部６は、立体投影像が視認可能な第２の期間を第１の期間よりも短くすることが好ましい。第２の期間中では、液晶パネル２は透明状態となっているので、第２の期間が長いと、観察者は、立体投影像だけでなく、液晶パネル２を通して立体投影装置５本体も視認できてしまうことがある。そして観察者が立体投影装置５本体を視認できてしまうと、観察者は立体投影像よりも立体投影装置５本体の方に焦点を合わせ易く、立体投影像に焦点が合わなくなってしまうおそれがある。そこで第２の期間を短くすることで、観察者が液晶パネル２の表示領域から大きくずれた位置に焦点を移動させる余裕をなくして、制御部６は、観察者が立体投影装置５本体を視認することを抑制できる。例えば、液晶パネル２のフレームレートが６０フレーム／秒である場合、制御部６は、液晶パネル２に映像が１０フレーム分表示される度に、１フレーム分液晶パネル２を透明状態にしてもよい。すなわち、第１の期間は１／６秒間であり、第２の期間は１／６０秒間となる。
【００４４】
この場合、液晶パネル２上に映像が表示されている第１の期間と比べて立体投影像が表示される第２の期間が短いため、その映像の輝度と立体投影像の輝度が同じだと、一定期間あたりの映像の光量よりも立体投影像の光量が少ないので、観察者は、立体投影像を暗く感じる可能性がある。そこで、光源４が点灯しているときの導光板３の輝度の平均値よりも、立体投影像の輝度の平均値の方が高いことが好ましい。例えば、第１の期間の長さに対する第２の期間の長さの比と、立体投影像の輝度の平均値に対する光源４が点灯しているときの導光板３の輝度の平均値の比が等しくなるように、第１の光源４の発光輝度及び立体投影装置５が有する光源の発光輝度が調節されることが好ましい。これにより、第１の期間と第２の期間とを合計した期間における、液晶パネル２上に表示される映像の光量と立体投影装置５による立体投影像の光量の差が小さくなるので、観察者は、その映像と立体投影像の両方を同時に視認することが容易となる。
【００４５】
また、制御部６は、上記のような液晶パネル２上に表示される２次元映像と立体投影装置５による立体投影像が同時に視認される表示モードと、液晶パネル２上に表示される２次元映像と立体投影装置５による立体投影像の何れか一方のみを観察者が視認できる表示モードとを切り替えてもよい。２次元映像と立体投影像の何れか一方のみを見せるモードの場合には、制御部６は、第１の期間及び第２の期間を、それぞれ、映像及び立体投影像の残像の持続期間よりも長く、例えば、第１の期間及び第２の期間を、それぞれ１秒間以上の長さに設定してもよい。
【００４６】
以上に説明してきたように、この表示装置は、液晶パネルの透明状態と不透明状態とを制御部にて切り替えることで、液晶パネルの背後にある立体投影装置による立体投影像を観察者に視認可能としたり、あるいは、視認不能とする。さらに、この表示装置は、液晶パネルの表示領域に２次元映像が表示されている期間（すなわち、液晶パネルが不透明状態となっている期間）の長さと立体投影像が表示されている期間（すなわち、液晶パネルが透明状態となっている期間）の長さを調節することで、観察者に、２次元映像と立体投影像とを同時に視認させることができる。これにより、この表示装置は、臨場感を向上させることができる。
【００４７】
図６（ａ）は、立体投影像１１と液晶パネル２の位置関係の他の一例を示す図である。なお、図６（ａ）では、簡単化のために、立体投影装置５は省略した。この変形例例では、立体投影装置５により投影される立体投影像１１が、奥行き方向において液晶パネル２と重なるように立体投影装置５が調節される。これにより、液晶パネル２上の２次元映像と立体投影像１１とが連続的に視認できることで、この表示装置は、立体投影像として投影された物体があたかも液晶パネル２の表示画面から飛び出しているような演出を行うことが可能となる。
さらに、制御部６は、液晶パネル２の表示領域のうち、正面から見て立体投影像と重なる部分を含む第１の部分領域のみを透明状態とし、第１の部分領域以外の部分領域１２を不透明状態として２次元映像を表示させてもよい。この場合、観察者は、不透明状態となる領域（以下、単に不透明領域と呼ぶ）１２に表示された２次元映像と立体投影像１１とを連続的に視認できるので、立体投影像１１に焦点を合わせ易くなる。その結果として、この表示装置は、立体投影像をより自然な像としてみせることができる。またこの変形例では、表示装置は、表示領域の位置によって透明状態と不透明状態とを切り替えることで立体投影像と２次元映像を同時に表示するので、上記の実施形態のように、時分割によって液晶パネル２の透明状態と不透明状態とを切り替えなくてもよい。
【００４８】
また図６（ｂ）に示されるように、不透明領域１２と立体投影像１１とが少なくとも一部においてオーバーラップしてもよい。この場合、観察者が視点を移動させて、斜め方向から表示装置を見ても、表示装置は、透明状態となった第１の部分領域のうちの立体投影像１１が表示されていない部分を通して液晶パネル２の背面側が視認されてしまうことを防止できる。
【００４９】
また、制御部６は、液晶パネル２の表示領域のうち、第１の部分領域を完全に透明とせず、第１の部分領域に表示する２次元映像の輝度をそれ以外の領域の輝度よりも低下させてもよい。その際、制御部６は、第１の部分領域が完全な不透明状態とならない範囲で、第１の部分領域に表示する２次元映像を、一様な黒い映像としてもよい。これにより、液晶パネル２の背面からの環境光が液晶パネル２で遮られるので、表示装置は、立体投影像を見易くすることができる。
【００５０】
また他の変形例によれば、表示パネルは、透明状態と不透明状態とを切り替え可能なものであればよい。例えば、表示パネルとして、透明有機ＥＬパネルが利用されてもよい。この場合には、透明有機ＥＬパネル自体が発光して不透明状態となるので、導光板及び導光板を介して表示パネルを照明する光源は省略されてもよい。
【００５１】
上記の実施形態または変形例による表示装置は、弾球遊技機または回胴遊技機といった遊技機に搭載されてもよい。
図７は、上記の実施形態または変形例による表示装置を有する弾球遊技機を遊技者側から見た、その弾球遊技機の概略斜視図である。備えた弾球遊技機１００の概略斜視図である。図７に示すように、弾球遊技機１００は、上部から中央部の大部分の領域に設けられ、遊技機本体である遊技盤１０１と、遊技盤１０１の下方に配設された球受け部１０２と、ハンドルを備えた操作部１０３と、遊技盤１０１の略中央に設けられた表示装置１０４とを有する。
【００５２】
また弾球遊技機１００は、遊技の演出のために、遊技盤１０１の前面において遊技盤１０１の下方に配置された固定役物部１０５と、遊技盤１０１と固定役物部１０５との間に配置された役物部１０６とを有する。また遊技盤１０１の側方にはレール１０７が配設されている。また遊技盤１０１上には多数の障害釘（図示せず）及び少なくとも一つの入賞装置１０８が設けられている。
【００５３】
操作部１０３は、遊技者の操作によるハンドルの回動量に応じて図示しない発射装置より所定の力で遊技球を発射する。発射された遊技球は、レール１０７に沿って上方へ移動し、多数の障害釘の間を落下する。そして遊技球が何れかの入賞装置１０８に入ったことを、図示しないセンサにより検知すると、遊技盤１０１の背面に設けられた主制御回路（図示せず）は、遊技球が入った入賞装置１０８に応じた所定個の遊技球を玉払い出し装置（図示せず）を介して球受け部１０２へ払い出す。さらに主制御回路は、遊技盤１０１の背面に設けられた演出用CPU（図示せず）を介して表示装置１０４を駆動する。
【００５４】
表示装置１０４は、上記の実施形態または変形例による表示装置の一例であり、液晶パネルの正面側が遊技者へ向くように遊技盤１０１に取り付けられる。そして表示装置１０４は、２次元映像と立体投影像とを遊技者が同時に見えるように表示する。なお、表示装置１０４の制御部は、遊技の状態に応じた演出用CPUからの制御信号に応じて、２次元映像及び立体投影像の何れか一方を見せるモードと、２次元映像と立体投影像の両方を見せるモードとを切り替えてもよい。
【００５５】
このように、当業者は、本発明の範囲内で、実施される形態に合わせて様々な変更を行うことができる。
【符号の説明】
【００５６】
１    表示装置
２    液晶パネル
２１    表示領域
３    導光板
３ａ    入射面
３ｂ    拡散面
３ｃ    出射面
４    光源
５    立体投影装置
５１    ハーフミラー
５２    凹面鏡
６１    結像光学系
６    制御部
１０    物体
１１    立体投影像
１２    不透明領域
１００    遊技機
１０１    遊技盤
１０２    球受け部
１０３    操作部
１０４    表示装置
１０５    固定役物部
１０６    役物部
１０７    レール
１０８    入賞装置
【図１】
0006327062.tif 000002
【図２】
0006327062.tif 000003
【図３】
0006327062.tif 000004
【図４】
0006327062.tif 000005
【図５】
0006327062.tif 000006
【図６】
0006327062.tif 000007
【図７】
0006327062.tif 000008